(57)【要約】【課題】従来に比べて塵埃などを容器内に侵入しにくくした食品包装用容器の蓋を提供する。【解決手段】食品包装用容器の蓋１は、熱可塑性合成樹脂シートからなり、天板部２とその周囲に周壁部３とを備え、周壁部３の面上に通気部４を備えたことを特徴とする。通気部４は、切込み又は孔として形成することができ、Ｕ字状の切込みとして形成することが好ましい。【選択図】図１
2014227185.tif 000002
【特許請求の範囲】
【請求項１】
熱可塑性合成樹脂シートからなり、天板部とその周囲に周壁部とを備えた、食品包装用容器の蓋であって、前記周壁部の面上に通気部を備えた食品包装用容器の蓋。
【請求項２】
前記通気部は、切込み又は孔である請求項1に記載の食品包装用容器の蓋。
【請求項３】
前記通気部は、Ｕ字状の切込みである請求項１又は２に記載の食品包装用容器の蓋。
【請求項４】
前記周壁部は、傾斜角を４５°〜９０°に形成した請求項１〜３のいずれかに記載の食品包装用容器の蓋。
【請求項５】
前記周壁部は、面部を内側に凹ませた補強部を有する請求項１〜４のいずれかに記載の食品包装用容器の蓋。
【請求項６】
請求項１〜５のいずれかに記載の食品包用装容器の蓋を用いた食品包装用容器。
【発明の詳細な説明】
【技術分野】
【０００１】
本発明は、熱可塑性合成樹脂シートからなり、電子レンジなどで内容物を加熱することができる食品包装用容器の蓋に関する。
【背景技術】
【０００２】
スーパー、デパートやコンビニエンスストアなどの小売店の店頭には、弁当、総菜或いはパスタなどの麺類等の食品が食品包装用容器に包装されて数多く陳列されている。
食品包装用容器としては、例えば、ＰＥＴ、ポリスチレン、ポリプロピレンなどからなる熱可塑性合成樹脂シートを、真空成形や圧空成形など熱成形して製造されているものがある。このような食品包装用容器には、蓋をしたまま電子レンジなどで加熱できるように、蓋の天板部に孔や切込みなどからなる通気部を設け、蒸気等が抜けるようにしたものがある。
【０００３】
例えば、下記特許文献１には、熱可塑性合成樹脂製からなる加熱調理用包装容器の蓋において、互いに対称の位置にある２個所で不連続とされた環状切込線で切り出された２個の舌片が蓋の上面に形成されたことを特徴とする加熱調理用包装容器の蓋が開示され、これは加熱前は容器への塵埃および虫などの異物の侵入を防ぎ、加熱時には内容物の発生する熱、蒸気などの容器内での蓄積を防止して容器の変形、ならびに内容物の変質、焼損および食味の低下などを防ぐことができるものである。
【０００４】
また、下記特許文献２には、熱可塑性合成樹脂シートの成形体からなり、天板部に、該天板部とつながる連結部を残して切込みを入れて所望形状の舌片部が形成され、容器本体に被せて開口を閉じる包装容器の蓋であって、前記切込みは、少なくとも一端側に方向を変えて延長され、前記舌片部が折り返し方向の外力を受けた際に切込みの端に加わる引き裂き伝搬力を異方向に分散せしめるテール部を有していることを特徴とする包装容器の蓋が開示され、これは舌片部を破断させ難くしたものである。
【０００５】
【特許文献１】実開平４−３８９８４号公報
【特許文献２】特開２００７−１９１１６１号公報
【発明の概要】
【発明が解決しようとする課題】
【０００６】
食品包装用容器を複数段に棚積みして陳列した場合、蓋の天板部は荷重を受けるため変形しやすくなる。従来の如く、天板部に孔や切込みなどの通気部を設けた蓋は、天板部の変形により通気部が変形して隙間が大きくなり、塵埃などが容器内に侵入するおそれがあった。
また、弁当などの容器は、例えば、蓋を透明な材料で作製して内部を視認できるようにしたものがある。しかし、天板部に複数の通気部を設けると、通気部により視界が邪魔され、内容物が確認しにくくなることがあった。
さらに、最近では、食品包装用容器は、材料の使用量を節減するため薄肉化する傾向があり、通気部が変形するおそれが高い。
【０００７】
そこで、本発明の目的は、従来に比べて塵埃などを容器内に侵入しにくくした食品包装用容器の蓋を提供することにある。
【課題を解決するための手段】
【０００８】
本発明の食品包装用容器の蓋は、熱可塑性合成樹脂シートからなり、天板部とその周囲に周壁部とを備えた、食品包装用容器の蓋であって、前記周壁部の面上に通気部を備えたことを特徴とする。
【０００９】
前記通気部は、切込み又は孔として形成してすることができ、Ｕ字状の切込みとして形成するのが好ましい。
【００１０】
前記周壁部は、傾斜角を４５°〜９０°に形成することが好ましい。また、前記周壁部は、面部を内側に凹ませた補強部を有することが好ましい。
【００１１】
このような構成にすることにより、周壁部は天板部に比べて、塵埃などが積もりにくくいため、従来に比べて塵埃などを容器内に侵入しにくくなる。また、周壁部は天板部に比べて変形しにくいため、通気部が変形しにくく容器内に塵埃などが侵入しにくくなる。
【図面の簡単な説明】
【００１２】
【図１】本発明の一実施形態の食品包装用容器の蓋の斜視図である。
【図２】図1に示した蓋と容器本体との側面図である。
【図３】図1に示した蓋の一変形例を示した側面図である。
【図４】図１に示した蓋の他の変形例を示した側面図である。
【図５】図１に示した蓋の他の変形例を示した側面図である。
【発明を実施するための形態】
【００１３】
以下、本発明の包装用容器の一実施形態を、図面に基づいて説明する。
【００１４】
本発明の一実施形態の食品包装用容器の蓋１は、図１又は図２に示すように、熱可塑性合成樹脂シートからなり、天板部２とその周囲に周壁部３とを備え、周壁部３の面上に通気部４を備えたことを特徴とするものである。
【００１５】
蓋１は、容器本体５の上面開口部を被覆して、食品包装用容器６を形成することができる。食品包装用容器６は、食品などを包装し、電子レンジなどで加熱することができる耐熱性のある容器であり、お弁当の容器、惣菜を収容する容器、パスタなどの麺類を収容する容器などとして用いることができる。
蓋１は、本実施形態では、容器本体５に外嵌合できるように形成してあるが、これに限定されるものではなく、内嵌合できるようにしてもよく、また、ヒンジなどを介して容器本体５と一体的に形成してもよい。
蓋１は、例えば、シート厚１５μｍ〜５０μｍ、好ましくは２０μｍ〜３０μｍの熱可塑性合成樹脂シートを熱成形して製造することができる。より詳しくは、ポリスチレン系樹脂シート、ポリエチレン系樹脂シート、ポリプロピレン系樹脂シート、ポリエチレンテレフタレート系樹脂シートなどの熱可塑性樹脂シートを、真空成形、圧空成形、真空圧空成形、熱板成形などの熱成形をして製造することができる。蓋１は、特に限定するものではないが、透明乃至半透明であることが好ましく、容器本体５は、特に限定するものではないが、黒色や白色などの有色であることが好ましい。
【００１６】
蓋１は、本実施形態では、平面視長方形状に形成してあるが、これに限定されるものではなく、平面視正方形状、円形状、長円形状などに形成することもできる。蓋１を平面視正方形状乃至長方形状に形成した場合は、例えば、縦８ｃｍ〜３５ｃｍ×横８ｃｍ〜３５ｃｍ、特に縦１５ｃｍ〜３０ｃｍ×横１５ｃｍ〜３０ｃｍ程度に形成することが好ましく、縦：横の比は、１：１〜１：５程度に形成することが好ましい。
【００１７】
天板部２は、本実施形態では、蓋１の中央付近を一段隆起させた平面視長方形状の水平面として形成してある。天板部２の形状は、これに限定されるものではなく、平面視正方形状、円形状、長円形状などに形成することができ、蓋1の外形状に合わせた相似形状とすることが好ましい。また、天板部２を傾斜面として形成することもできる。天板部２は、例えば、蓋１の平面視の面積に対して５０％〜９５％、特に７０％〜９０％の面積割合に形成することが好ましい。
【００１８】
周壁部３は、本実施形態では、天板部２の周囲の各外縁から外側下方向けて直線状に傾斜させて４つの平面からなるように形成してある。周壁部３の傾斜角は、特に限定するものではないが、４５°〜９０°、特に６０°〜８０°が好ましい。
周壁部３の高さは、特に限定するものではないが、蓋１の縦幅の長さに対して、５〜５０％、特に１０〜３０％に形成することが好ましく、具体的には、５ｍｍ〜５０ｍｍ、特に１５ｍｍ〜３０ｍｍに形成することが好ましい。
周壁部３の面内や角部には、面部を内側に凹ませた補強部３ａを形成するのが好ましい。補強部３ａを設けることにより、周壁部３が押し潰されにくくなる。補強部３ａは、本実施形態では、断面矩形状に凹ませてあるが、これに限定されるものではなく、断面湾曲状、断面Ｖ字状などに凹ませることができる。
【００１９】
通気部４は、容器６内の蒸気などが通り抜けることができ、本実施形態では、Ｕ字筋状の切込み４ａとして形成してあり、蓋１の短辺側の周壁部３の各面上にそれぞれ２個所ずつ形成してある。切込み４ａの形状は、これに限定されるものではなく、直線状、Ｘ字状、コの字状やＶ字状に形成してもよく、また、図３に示すように横向きＵ字状の切込み４ｂや逆Ｕ字状の切込み４ｃに形成してもよい。塵埃の侵入しにくくするためには、Ｕ字状の切込みにするのが好ましい。通気部４をＵ字状、コの字状やＶ字状などの切込みとして形成した場合は、舌片部分を幅３ｍｍ〜１５ｍｍ、特に７ｍｍ〜１２ｍｍに形成し、高さ５ｍｍ〜２０ｍｍ、特に１０ｍｍ〜１５ｍｍに形成することが好ましい。
また、通気部４は、切込みではなく図５に示すように円孔４ｄとして形成してもよい。孔の形状は、円孔に限定されるものではなく、四角孔、長孔などいずれの孔形状でもよい。通気部４を孔状に形成する場合は、幅２ｍｍ〜１０ｍｍ、特に３ｍｍ〜８ｍｍに形成するのが好ましい。
【００２０】
通気部４の位置や数は、本実施形態では面内に左右対称状に２個所形成してあるが、これに限定されるものではなく、周壁部の面上に１箇所以上形成してあればよく、蓋１に１〜１２箇所、特に２〜４箇所形成するのが好ましい。２個所以上形成する場合は、対角線上に形成するのが好ましい。
【００２１】
周壁部３の下端部には、水平状に外側に張り出したフランジ部７が形成してあり、また、フランジ部７の外縁部から垂下した嵌合部８が形成してあり、容器本体５に外嵌合できるようにしてある。
【００２２】
蓋１は、周壁部３に通気部４を形成したため、周壁部３は天板部２に比べて、塵埃などが積もりにくく、従来に比べて塵埃などを容器内に侵入しにくくなる。また、周壁部３は天板部２に比べて通常は面積が狭く変形しにくいため、通気部４が変形しにくく容器６内に塵埃などが侵入しにくくなる。
特にサイズの大きな食品包装用容器に対して有効である。
蓋１を透明乃至半透明の材料から作製した場合は、複数の通気部４を設けても天板部２から内容物が確認しやすいものである。
【００２３】
上記実施形態の構成態様は、本発明を限定するものとして挙げたものではなく、技術目的を共通にするかぎり変更は可能であり、本発明はそのような変更を含むものである。
【符号の説明】
【００２４】
１食品包装用容器の蓋
２天板部
３周壁部
３ａ補強部
４通気部
４ａ〜４ｃ切込み
４ｄ  円孔
５容器本体
６食品包装用容器
７フランジ部
８嵌合部
【図１】
2014227185.tif 000003
【図２】
2014227185.tif 000004
【図３】
2014227185.tif 000005
【図４】
2014227185.tif 000006
【図５】
2014227185.tif 000007